(57)【要約】【課題】  畳、絨毯、寝具類、ソファーなどの家具類、衣類等に対し容易に使用することができ、それらを汚染，汚損するような虞れが無く、ダニアレルゲンを効果的に低減することができる、安全なダニアレルゲン低減化剤を提供する。【解決手段】  アザジラクチン（ＡＺＡ）含有割合が０．０２重量％〜１重量％であるアルコール溶液または両性界面活性剤含有水溶液などとして用いることができる。【選択図】    なし【特許請求の範囲】
【請求項１】
アザジラクチンを有効成分として含有することを特徴とするダニアレルゲン低減化剤。
【請求項２】
アザジラクチンの含有割合が０．０２重量％〜１重量％であることを特徴とする請求項１記載のダニアレルゲン低減化剤。
【請求項３】
アザジラクチンをアルコールに溶解して液状組成物としたことを特徴とする請求項２記載のダニアレルゲン低減化剤。
【請求項４】
アザジラクチンと、両性界面活性剤と、をアルコールに溶解して液状組成物としたことを特徴とする請求項２記載のダニアレルゲン低減化剤。
【請求項５】
アザジラクチンと、両性界面活性剤と、を水に溶解して液状組成物としたことを特徴とする請求項２記載のダニアレルゲン低減化剤。
【請求項６】
両性界面活性剤が、アルキルジ（アミノエチル）グリシンを主成分とする両性界面活性剤であることを特徴とする請求項４または５記載のダニアレルゲン低減化剤。
【請求項７】
アルキルジ（アミノエチル）グリシンを主成分とする両性界面活性剤の含有割合が０．０２重量％〜５重量％であることを特徴とする請求項６記載のダニアレルゲン低減化剤。
【発明の詳細な説明】
【技術分野】
【０００１】
本発明は、ダニアレルゲンを低減するためのダニアレルゲン低減化剤に関し、詳しくは、アザジラクチン（ＡＺＡ）を含有したダニアレルゲン低減化剤に関する。
【背景技術】
【０００２】
近年、例えば一般家庭等における屋内の畳、絨毯、寝具類、ソファーなどの家具類、衣類等には、いわゆるハウスダストと呼ばれるダニ（ヤケヒョウダニやコナヒョウダニ）等やその死骸等が日常的に存在し、これらが人体に対する抗原（アレルゲン）として作用し、鼻炎や喘息などのアレルギー性症状の一因になっている。
すなわち、居住空間内等に存在するダニ等を殺すだけでは、その死骸等が残存し抗原として作用するため、ダニアレルゲンの低減化もしくは除去には至らない。
【０００３】
このような問題を解消するために、各種のアレルゲン低減組成物、アレルゲン低減物質などの低減化剤が従来から提案されている。
例えば、特許文献１（特公平２−１６７３１号公報）にはタンニン酸を用いてダニアレルゲンを除去することが開示されている。
特許文献２（特開平６−２７９２７３号公報）には、茶抽出物、エピカテキン、エピガロカテキン、エピカテキンガレート、エピガロカテキンガレート、没食子酸などを用いてダニアレルゲン除去を行うことが開示されている。
特許文献３（特開２００４−３０４０号公報）には、アレルゲン低減化成分（アレルゲンを変性させる等して不活性化し、抗原抗体反応を抑制できる成分）として、タンニン酸、カテキン等の植物抽出物、２，５−ジヒドロキシ安息香酸等のヒドロキシ安息香酸、芳香族ヒドロキシ化合物、アルカリ金属の炭酸塩、明礬、ラウリルベンゼンスルホン酸塩、ラウリル硫酸塩、ポリオキシエチレンラウリルエーテル硫酸塩、リン酸塩、硫酸亜鉛、酢酸鉛等が挙げられている。
特許文献４（特開２００６−１１１８１２号公報）には、アレルゲン低減化組成物として、リグニンのフェノール誘導体を含有することが開示されている。
【０００４】
【特許文献１】特公平２−１６７３１号公報
【特許文献２】特開平６−２７９２７３号公報
【特許文献３】特開２００４−３０４０号公報
【特許文献４】特開２００６−１１１８１２号公報
【発明の開示】
【発明が解決しようとする課題】
【０００５】
しかしながら、前記したタンニン酸、カテキン類、リグニンのフェノール誘導体などの物質は、金属イオン（例えば、鉄イオンなど）と反応し黒色の錯塩を生成するため、このような物質を主成分とする溶液等を畳、絨毯、寝具類、ソファー等の家具類、衣類などに散布、噴霧等した場合、シミや変色等が発生するという問題があった。
【０００６】
本発明はこのような従来事情に鑑みて成されたもので、その目的とする処は、ダニアレルゲンが存在する畳、絨毯、寝具類、ソファーなどの家具類、衣類等に対し容易に使用することができ、それらを汚染，汚損するような虞れが無く、ダニアレルゲンを効果的に低減することができる、安全なダニアレルゲン低減化剤を提供することにある。
【課題を解決するための手段】
【０００７】
以上の目的を達成するために本発明者は、簡便で容易に処理でき、人体や地球環境等に対する安全性の高いダニアレルゲン低減化剤として植物由来の物質に着目し、各種植物のエタノール又は１，３ブチレングリコールの抽出物のダニアレルゲン低減化力について鋭意研究を行った結果、フェノール化合物としてオイゲノールを７０重量％以上含むクローブ、メチルチャビコールを８０〜８５重量％含むバジル、チモールを２０〜２５重量％含むタイム、タンニン酸とフラボノイドを含むレイシなどの抽出液にダニアレルゲン低減化力があり、さらに、アザジラクチンはダニアレルゲン低減化に極めて有用であることを見出した。
アザジラクチン（Ａｚａｄｉｒａｃｈｔｉｎ：ＡＺＡ）は、インドセンダン（ニーム）の葉や種子などから抽出される植物由来の物質であって、通常は粉末状で取り扱われる。また、アザジラクチンは昆虫等に対しての忌避、摂食阻害、成長阻害作用等があることが知られており、虫害予防等に使われているが、ダニアレルゲン低減化作用があることは知られていない。
本発明者は研究を重ねた結果、アザジラクチンの少量（０．０２重量％以上）の使用により、ダニアレルゲンの低減、すなわち、ダニアレルゲンにおけるタンパク質を変性させ、人体内のダニアレルゲン抗体との結合抑制機能を生じさせて、ダニおよびダニの死骸を含むダニアレルゲンの低減化機能を発現するという、虫害予防等とは異なる作用を発見し、しかも、金属イオン（特に鉄イオン）との黒色化反応も認められないという新たな知見を得て、本発明を完成するに至った。
【０００８】
すなわち、本発明に係るダニアレルゲン低減化剤は、実質的にアザジラクチンを主成分（有効成分）とすることを要旨とする。
ここで「実質的に」とは、本発明の課題を達成し得る範囲、換言すれば、ダニアレルゲン低減化効果（後述するように、ダニアレルゲンレベル１０μｇ（１００匹／ｍ２）を１μｇ（１０匹／ｍ２）以下に低減できる能力）を得ることができる範囲でのアザジラクチン含有を言う。
【０００９】
より具体的には、アザジラクチンを０．０２重量％以上含有することで、ダニアレルゲン低減化を図ることができる。但し、アザジラクチンは有色物質であり、これを１重量％超えて含有すると、被使用物（前述した畳、絨毯、寝具類、家具類、衣類など）にシミや変色などが発生する場合があるため好ましくない。また、アザジラクチンは高価な物質であって、１重量％を超えて含有してもダニアレルゲン低減化はそれに比例し大幅には向上しない。よって、アザジラクチンの好ましい実用上の含有割合は０．０２重量％〜１重量％である。
【００１０】
アザジラクチンの粉末は水に不溶であるが、アルコール類に溶解する。よって、本発明に係るダニアレルゲン低減化剤の態様として、アザジラクチンをアルコールに溶解して液状とした組成物をあげることができる。
ここで、アルコールとしては、エタノール、１，３ブチレングリコール、イソプロピルアルコール、芳香族アルコールとしてのベンジンアルコールなど、アザジラクチンを溶解可能なアルコール類であれば何でもよい。
【００１１】
また、本発明者は鋭意研究の末、日本薬局方外医薬品として汎用されているアルキジ（アミノエチル）グリシンを主成分とする両性界面活性剤が、ダニアレルゲン低減化に有効であり、金属イオンとの反応もなく、アザジラクチンとの相性も良いことを知見した。
【００１２】
通常、ダニは湿気を好み、人の垢や、人の垢をエサとするカビ類をエサにしている。従って、ダニアレルゲンを低減させるためには、垢やカビ類が繁殖しないようにすることも重要である。このことは意外と注目されていない。
本発明者は防カビ作用のある各種資材、物質等を用いて、垢やカビ類に含まれたタンパク質の変性効果について鋭意検討を重ねた結果、アルキルジ（アミノエチル）グリシンを主成分とする両性界面活性剤（例えば、日本油脂社製の「アノンＬＧ」など）が、タンパク質の変性効果に優れ、アザジラクチン同様、ダニアレルゲンの低減に極めて有効であることを知見した。
また、前記したように、アザジラクチンは水に不溶であるため、アルコール類の導入が敬遠される場合、水溶液として界面活性剤が必要となる。アルキルジ（アミノエチル）グリシンを主成分とする両性界面活性剤を用いれば、アザジラクチンを水に溶解分散させることが可能になる。
【００１３】
よって、本発明に係るダニアレルゲン低減化剤の態様として、アザジラクチンと、両性界面活性剤と、をアルコールに溶解して液状とした組成物をあげることができる。
また、アザジラクチンと、両性界面活性剤と、を水に溶解して液状とした組成物をあげることができる。
【００１４】
アルキルジ（アミノエチル）グリシンを主成分とする両性界面活性剤は、アミノ酸の一種であるグリシンとカルボキシル基を含むアミノ酸型の両性界面活性剤であり、アルカリ性条件下ではアミノ基部分は親水基としての作用が比較的小さく、もう一つの官能基であるカルボキシル基が主体となり、アニオン界面活性剤に近い特性を有する。また、酸性条件下ではアミノ基がカチオン的に挙動して、カチオン界面活性剤に似た特性を示す。
【００１５】
本発明において、アザジラクチンと、アルキルジ（アミノエチル）グリシンを主成分とする両性界面活性剤と、を併用する場合、該両性界面活性剤の好ましい含有割合は０．０２重量％〜５重量％である。０．０２重量％未満の含有だとダニアレルゲンと抗体との結合反応の抑制力が乏しく、この点においては該両性界面活性剤を含有する必要がない。また、５重量％を超えると乾燥が遅くなり、液状体として被使用物に散布、噴霧などした場合、その部分にべたつき感が生じるなどの理由から好ましくない。
【００１６】
尚、アザジラクチンは水に不溶であるため、前述したようにアルコール溶液、または界面活性剤を導入して水溶液を得ることができるが、必ずしも前記のものに限定されず、例えば、界面活性剤（乳化剤）を用いて水溶液を得ることができ、安全性、溶解性の面を考慮すれば、ソルビタン脂肪酸エステルなどを用いることができる。
【００１７】
また、本発明に係るダニアレルゲン低減化剤は、芳香剤、皮膜形成剤などの、この種分野において通常用いられる添加剤等を、本発明の効果を阻害しない範囲で含有することができる。
【発明の効果】
【００１８】
以上説明したように本発明は、アザジラクチンの少量の使用により効果的且つ安全にダニアレルゲンを低減化することができる。また、アルコール溶液や、両性界面活性剤を含有した水溶液による液状の組成物とすることで、畳、絨毯、寝具類、ソファー等の家具類、衣類などに対し散布、噴霧等して容易に使用することができる。また、金属イオンと反応することも無いので、シミや変色等が発生する恐れも無く、安心して使用できるなど、多くの効果を有する。
【発明を実施するための最良の形態】
【００１９】
以下、試験例を参照して、本発明についてより詳細に説明する。
【００２０】
アザジラクチンとして、アザジラクチン（ＡＺＡ）含有割合：４０〜４５重量％、サラニン、ニンビン等の他のリモノイド類の含有割合：５５〜６０重量％である市販のアザジラクチン粉末（Ｅ．Ｉ．Ｄ ＰＡＲＲＹ社製）を用いた。
アルキルジ（アミノエチル）グリシンを主成分とする両性界面活性剤として、日本油脂社製の「アノンＬＧ」を用いた。
【００２１】
ダニアレルゲンの検出には、市販されているシントーファイン社製の「マイティチェッカー」を使用した。該チェッカーは「学校環境衛生の基準」準拠品として、汎用的に使われている簡易検査キットである。
【００２２】
ダニアレルゲン低減化能力の評価基準としては、一般的に、家庭内におけるダニアレルゲンレベルは概ね１０μｇ（１００匹／ｍ２）であり、これを、１μｇ（１０匹／ｍ２）以下に低減できる能力が通常必要とされる。
本発明者は、この低減化能力（低減化基準）に必要な前記アザジラクチン粉末量は約０．０４ｇ（アザジラクチン：ＡＺＡの割合０．０２ｗｔ％）であることを確認した。また、アノンＬＧを０．０２ｗｔ％以上併用すると効果的であることを確認した。
【００２３】
しかし、実際の環境下では、ダニアレルゲンレベルは３５μｇ（３５０匹／ｍ２）以上の場合も想定されるので、アザジラクチン粉末量、アノンＬＧ量を、上記最低必要量の５倍として試験を行った。
【００２４】
（試料１）
前記アザジラクチン粉末の所定量をエタノール１００ｍｌ中に溶解し、ＡＺＡ含有割合：０．１ｗｔ％の液状ダニアレルゲン低減化組成物を得た。
【００２５】
（試料２）
前記アザジラクチン粉末、アノンＬＧの所定量をエタノール１００ｍｌ中に溶解し、ＡＺＡ含有割合：０．１ｗｔ％、アノンＬＧ含有割合：０．１ｗｔ％の液状ダニアレルゲン低減化組成物を得た。
【００２６】
（試料３）
前記アザジラクチン粉末、アノンＬＧの所定量と、エタノール１０ｍｌ、スルホコハク酸ジオクチルナトリウム液（高浸透性の陰イオン界面活性剤）１ｇを、９２ｇ水溶液に溶解し、ＡＺＡ含有割合：０．１ｗｔ％、アノンＬＧ含有割合：０．１ｗｔ％の液状ダニアレルゲン低減化組成物を得た。
【００２７】
（ダニアレルゲン低減化の判定）
これら試料１〜３の液体をそれぞれハンドスプレー容器に入れて、一般家庭で使用されている白色、赤色、青色などの各種色彩の布製絨毯１ｍ２に対し均等に散布した後、一般家庭用掃除機で吸引して該絨毯のゴミを採取し、前記マイティチェッカーの使用手順に従いダニアレルゲンレベルを測定した。
おのおのの試料において、処理前（散布前）のダニアレルゲンレベルは３５μｇ（３５０匹／ｍ２）以上であったが、処理後（散布後）のダニアレルゲンレベルは１μｇ（１０匹／ｍ２）以下に低減されていることが確認できた。また、散布部分におけるシミ・変色などの発生やべたつき感などもないことが確認できた。結果を表１に示す。
【００２８】
次に、アザジラクチンの含有割合に係る試験結果について説明する。
（試料４，５）
アザジラクチンの含有割合が、本発明の下限値（０．０２重量％）となるように前記アザジラクチン粉末の所定量をエタノール１００ｍｌ中に溶解した試料４と、本発明の上限値（１重量％）となるように前記アザジラクチン粉末の所定量をエタノール１００ｍｌ中に溶解した試料５を用い、前述の試料１〜３と同様にしてダニアレルゲンレベル等を測定した。おのおのの試料において、前記試料１〜３と同様の効果が確認された。
【００２９】
（試料６）
アザジラクチンの含有割合が、本発明の下限値（０．０２重量％）未満である約０．０１ｗｔ％となるように前記アザジラクチン粉末の所定量をエタノール１００ｍｌ中に溶解して試料６とし、前記同様にダニアレルゲンレベルを測定した。処理前（散布前）のダニアレルゲンレベル１０μｇ以上に対し、処理後（散布後）のダニアレルゲンレベルは５μｇ（５０匹／ｍ２）であり、試料１〜５に比べ低減化力が低下していることが確認できた。
【００３０】
（試料７）
アザジラクチンの含有割合が、本発明の上限値（１重量％）を超える１．３５ｗｔ％となるように前記アザジラクチン粉末の所定量をエタノール１００ｍｌ中に溶解して試料７とし、前記同様にダニアレルゲンレベルを測定した。処理前（散布前）のダニアレルゲンレベル１０μｇ以上に対し、処理後（散布後）のダニアレルゲンレベルは１μｇ以下に低減されていたが、白色の布製絨毯に散布した場合に黄色のシミや変色が発生し、好ましくない結果が出ることが確認された。
【００３１】
（試料８，９）
次に、アルキルジ（アミノエチル）グリシンを主成分とする両性界面活性剤の含有割合に係る試験結果について説明する。
前述した試料３において、アノンＬＧの含有割合を本発明の下限値：０．０２重量％とした試料８と、本発明の上限値：５重量％とした試料９を用い、前記と同様にしてダニアレルゲンレベル等を測定した処、試料３同様の効果が確認された。
【００３２】
（試料１０）
前述した試料３において、本発明の下限値：０．０２重量％未満となるようにアノンＬＧ：０．０１ｗｔ％とした試料１０を用い、前記同様にダニアレルゲンレベル等を測定した処、試料３と同様の結果が確認された。
【００３３】
（試料１１）
前述した試料３において、本発明の上限値：５重量％を越えるようにアノンＬＧ：６ｗｔ％とした試料１１を用い、前記同様にダニアレルゲンレベルを測定した。
処理前（散布前）のダニアレルゲンレベル１０μｇ以上に対し、処理後（散布後）のダニアレルゲンレベルは１μｇ以下に低減されていることが確認できたが、散布部分にべたつき感が生じ、好ましくない結果が出ることが確認された。
【００３４】
【表１】
2008214501.tif 000002
【００３５】
以上、本発明のダニアレルゲン低減化剤の実施態様として、液状組成物としたものを絨毯などの布に散布する場合について説明したが、本発明はこれに限定されず、液状組成物としたものを床、畳、寝具、ソファー、押入れ、衣類などに散布したり、エアゾール式容器に充填して噴霧可能としたり、衣類等を洗濯する際に液状組成物のまま適量含有させたり、エアコンや空気清浄機などの浄化フィルターに塗布、散布、噴霧するなど、各種の使用態様をとることができる。
【００３６】
また、本発明に係るダニアレルゲン低減化剤は、例えば、塗膜形成剤、固着剤などと併用して用いることもできるし、化粧品などに含有させることも可能である。
さらに、香りづけや殺ダニ力を付与するために、ユーカリ、シトロネラ、シナモン、パイン、テレピン等の各種精油や、スルホコハク酸ジオクチルナトリウムのような浸透力の高い界面活性剤と併用してもよい。
【００３７】
以上、本発明の実施形態例を実施例等に基づき説明したが、本発明はこれらに限定されるものではなく、特許請求の範囲に記載された技術的思想の範疇において種々変更可能であることは言うまでもない。